(57)【要約】【課題】再熱除湿運転時により低い外気温でも室温低下を抑えることができ、冷暖房性能を低下させることのない空気調和機を提供すること。【解決手段】本発明の空気調和機は、少なくとも圧縮機３、室外熱交換器５、室外減圧器８、室内熱交換器を接続して冷媒回路を形成し、室内熱交換器を再熱用熱交換器９と蒸発用熱交換器１１に分割して、再熱用熱交換器と蒸発用熱交換器との間に室内減圧器１０を介在させ、再熱除湿運転時には、再熱用熱交換器で冷媒の凝縮を行い、蒸発用熱交換器で冷媒の蒸発を行う空気調和機であって、室外熱交換器をバイパスさせるバイパス回路と、バイパス回路に開閉弁と、を備え、再熱除湿運転時には、再熱用熱交換器で得られる再熱能力に応じて、開閉弁を制御する。【選択図】図１
2012002436.tif 000002
【特許請求の範囲】
【請求項１】
少なくとも圧縮機、室外熱交換器、室外減圧器、室内熱交換器を接続して冷媒回路を形成し、前記室内熱交換器を再熱用熱交換器と蒸発用熱交換器に分割して、前記再熱用熱交換器と前記蒸発用熱交換器との間に室内減圧器を介在させ、再熱除湿運転時には、前記再熱用熱交換器で冷媒の凝縮を行い、前記蒸発用熱交換器で冷媒の蒸発を行う空気調和機であって、前記室外熱交換器をバイパスさせるバイパス回路と、前記バイパス回路に開閉弁と、を備え、前記再熱除湿運転時には、前記再熱用熱交換器で得られる再熱能力に応じて、前記開閉弁を制御することを特徴とする空気調和機。
【発明の詳細な説明】
【技術分野】
【０００１】
本発明は、室温低下を抑えた再熱除湿運転が可能な空気調和機に関するものである。
【背景技術】
【０００２】
従来、この種の空気調和機は、図２に示すように室内熱交換器を再熱用熱交換器と蒸発用熱交換器に分割して減圧器で接続し、再熱用熱交換器で冷媒の凝縮を、蒸発用熱交換器で冷媒の蒸発を生じさせて再熱除湿運転を行うようにしている。
【０００３】
このとき、外気温が低く再熱能力が不足する場合は、室外ファンの回転数を落として室外側での放熱量を抑え、より低い外気温まで室内温度低下を抑えた再熱除湿運転ができるようにしている。
【０００４】
ところが、室外ファンは室外機に内装されている電装品の冷却を兼ねているため、落とせる回転数には限界があり、外気温が低い場合は室外熱交換器での放熱量を充分に抑えきれず、室温が下がってしまうという課題を有している。
【０００５】
このような課題を考慮して、室外熱交換器を分割し、室外熱交換器と室外減圧器の間に開閉弁を設けて、再熱用熱交換器での再熱能力に応じて開閉弁を開閉制御するといったものも提案されている（例えば、特許文献１参照）。
【先行技術文献】
【特許文献】
【０００６】
【特許文献１】特開２００３−２３２５５４号公報
【発明の概要】
【発明が解決しようとする課題】
【０００７】
しかしながら、上記従来の技術では、圧縮機から吐出された冷媒は全て室外熱交換器を通るため、外気温が低い場合にはどうしても室外熱交換器での放熱量が大きくなり、室温が下がってしまう。さらに、冷媒主回路上に開閉弁があるため、冷房運転時や暖房運転時に開閉弁が圧損となって冷暖房性能が低下するという課題も有していた。
【０００８】
本発明は、前記従来の課題を解決するものであり、再熱除湿運転時により低い外気温でも室温低下を抑えることができ、冷暖房性能を低下させることのない空気調和機を提供することを目的としている。
【課題を解決するための手段】
【０００９】
前記従来の課題を解決するために、本発明の空気調和機は、少なくとも圧縮機、室外熱交換器、室外減圧器、室内熱交換器を接続して冷媒回路を形成し、室内熱交換器を再熱用熱交換器と蒸発用熱交換器に分割して、再熱用熱交換器と蒸発用熱交換器との間に室内減圧器を介在させ、再熱除湿運転時には、再熱用熱交換器で冷媒の凝縮を行い、蒸発用熱交換器で冷媒の蒸発を行う空気調和機であって、室外熱交換器をバイパスさせるバイパス回路と、バイパス回路に開閉弁と、を備え、再熱除湿運転時には、再熱用熱交換器で得られる再熱能力に応じて、開閉弁を制御することにより、より低い外気温でも室温低下を抑えることができ、冷房運転時や暖房運転時には開閉弁を閉じることでバイパス回路には冷媒は流れなくなり、圧損による冷暖房性能の低下を無くすことができる。
【発明の効果】
【００１０】
本発明は、再熱除湿運転時により低い外気温でも室温低下を抑えることができ、冷暖房性能を低下させることのない空気調和機を提供することができる。
【図面の簡単な説明】
【００１１】
【図１】本発明の実施の形態１における空気調和機の冷媒回路の構成図
【図２】従来の空気調和機の冷媒回路の構成図
【発明を実施するための形態】
【００１２】
第１の発明の空気調和機は、少なくとも圧縮機、室外熱交換器、室外減圧器、室内熱交換器を接続して冷媒回路を形成し、室内熱交換器を再熱用熱交換器と蒸発用熱交換器に分割して、再熱用熱交換器と蒸発用熱交換器との間に室内減圧器を介在させ、再熱除湿運転時には、再熱用熱交換器で冷媒の凝縮を行い、蒸発用熱交換器で冷媒の蒸発を行う空気調和機であって、室外熱交換器をバイパスさせるバイパス回路と、バイパス回路に開閉弁と、を備え、再熱除湿運転時には、再熱用熱交換器で得られる再熱能力に応じて、開閉弁を制御することにより、より低い外気温でも室温低下を抑えることができ、冷房運転時や暖房運転時には開閉弁を閉じることでバイパス回路には冷媒は流れなくなり、圧損による冷暖房性能の低下を無くすことができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の冷媒回路図である。図１を用いて、まず空気調和機の冷媒回路の構成について説明する。まず、本実施の形態における空気調和機は、室内を空調する室内機１と、室外に配置している室外機２とを互いに冷媒配管で接続し、一つの冷媒回路を形成して構成されている。
【００１５】
本実施の形態１における空気調和機の冷媒回路は、冷媒を圧縮する圧縮機３と、冷媒流路を切り替える四方弁４と、大気と冷媒とが熱交換を行う室外熱交換器５と、冷媒を減圧する室外減圧器８と、再熱用熱交換器９と、室内減圧器１０と、蒸発用熱交換器１１とを順次冷媒配管で接続して冷媒回路が形成されている。本実施の形態では、室内熱交換器が、再熱用熱交換器９と室内減圧器１０と蒸発用熱交換器１１とで構成されている。
【００１６】
また、圧縮機３から吐出された冷媒が、室外熱交換器５をバイパスするバイパス回路１３が形成されており、バイパス回路１３には開閉可能な開閉弁７が設けられている。
【００１７】
また、室内機１および室外機２には、マイクロコンピュータおよびその周辺回路で構成された制御手段を有しており、室内ファン１２の回転数や圧縮機３の回転数などの制御を行う、室内制御手段１４と室外制御手段１５（図示せず）がそれぞれ内装されている。
【００１８】
以上のように構成された空気調和機について、以下その動作、作用を説明する。
【００１９】
まず冷房運転時は、圧縮機３から吐出された冷媒を、四方弁４を介して室外熱交換器５で放熱し、室外減圧器８で減圧した後、再熱用熱交換器９と蒸発用熱交換器１１で蒸発させ、その後、圧縮機３に返流させて室内を冷房する。
【００２０】
このとき室内減圧器１０は最大流量にし、開閉弁７は閉弁状態とすることで、開閉弁７には冷媒は流れないため圧損は発生せず、冷房性能の低下を防止できる。
【００２１】
一方、暖房運転を行う場合は、四方弁４の流路を切り換え、圧縮機３から吐出された冷
媒は蒸発用熱交換器１１と再熱用熱交換器９で放熱し、室外減圧器８で減圧した後、室外熱交換器５で蒸発させ、その後、圧縮機３に返流させて室内を暖房する。
【００２２】
このとき室内減圧器１０は最大流量にし、開閉弁７は閉弁状態とすることで、開閉弁７には冷媒は流れないため圧損は発生せず、暖房性能の低下を防止できる。
【００２３】
再熱除湿運転時は、圧縮機３から吐出された冷媒を、四方弁４を介して室外熱交換器５と室外減圧器８を通って、再熱用熱交換器９で放熱し、室内減圧器１０で減圧した後、蒸発用熱交換器１１で蒸発させ、その後、圧縮機３に返流させて室内空気の加熱と冷却両方を行う。
【００２４】
このとき室外ファン６は低速運転して室外熱交換器５での放熱量を抑えながら、室温が下がると回転数を更に落として再熱用熱交換器９で得られる再熱能力を上げる。しかしながら室外ファン６は室外制御手段１５の冷却も兼ねているため、室外ファン６には最低回転数が設定されている。
【００２５】
また、室外減圧器８は最大流量にして減圧を抑え、室内減圧器１０は流量を抑えて減圧できるようにし、開閉弁７は閉弁している。
【００２６】
上記のような再熱除湿運転において、例えば、外気温が低い場合は室外ファン６を最低回転数で運転しても、室外熱交換器５での放熱量はどうしても多くなり、室温は下がりやすくなる。
【００２７】
そこで室外ファン６を最低回転数にしても室温が設定温度よりも低く、再熱用熱交換器９で得られる再熱能力が足りないと判断した場合は、開閉弁７を開弁させてバイパス回路１３に冷媒を流すようにさせる。
【００２８】
これにより、室外熱交換器５に流れる冷媒の割合を減らして室外熱交換器５での放熱量を更に抑えることができ、より低い外気温でも室温低下を抑えることができる。
【００２９】
なお、本実施の形態ではバイパス回路１３の接続位置を室外熱交換器５の前後としているが、接続位置を圧縮機３と四方弁４の間、または室外減圧器８の前後としても同様の効果を得られる。
【産業上の利用可能性】
【００３０】
以上のように、本発明にかかる空気調和機は、再熱除湿運転時により低い外気温でも室温低下を抑えることができるめ、冷凍サイクルを利用した製品、例えば除湿機やカ−エアコン等にも適用できる。
【符号の説明】
【００３１】
１  室内機
２  室外機
３  圧縮機
４  四方弁
５  室外熱交換器
７  開閉弁
８  室外減圧器
９  再熱用熱交換器
１０  室内減圧器
１１  蒸発用熱交換器
１３  バイパス回路
１４  室内制御手段
１５  室外制御手段
【図１】
2012002436.tif 000003
【図２】
2012002436.tif 000004